(57)【要約】【課題】トイレ室内に設置される手摺に部分的に照明を行う照明装置を備え付けることで、トイレ室を主照明装置により全体的に照明しなくても暗がりの中で手摺の位置が分るようにする。【解決手段】水平な棚板５８と、棚板５８から立ち上がる縦の棒状の手摺６０とを有し、トイレ室の壁面に設置される手摺の、棒状の手摺６０の全体若しくは一部を光透過性材料で構成するとともに、手摺６０の一端側から光透過性材料の内部に光を投光する状態にＬＥＤ２２を光源として棚板５８に埋込状態に設け、ＬＥＤ２２からの光によって手摺６０の樹脂材６４からなる部分を光らせるようにする。【選択図】        図４
2009046976.tif 000002
【特許請求の範囲】
【請求項１】
衛生設備室としてのトイレ室の壁面に接して設置される水平な棚板から立ち上がる縦の手摺の全体若しくは一部を光透過性材料で構成するとともに、該手摺の一端側から該光透過性材料の内部に光を投光する状態にＬＥＤを光源として前記棚板に埋込状態に設け、該ＬＥＤからの光によって該手摺の該光透過性材料からなる部分を光らせるようになしたことを特徴とする手摺の照明装置。
【請求項２】
請求項１において、前記手摺を棒状の光不透過性の木材と棒状の光透過性の樹脂材とを、該光透過性の樹脂材を前記壁面に向け、合せた形態で構成したことを特徴とする手摺の照明装置。
【請求項３】
請求項１，２の何れかにおいて、前記棚板の下面にはトイレットペーパーホルダが取り付けてあることを特徴とする手摺の照明装置。
【発明の詳細な説明】
【技術分野】
【０００１】
この発明はトイレ室の衛生設備器具としての手摺の照明装置に関する。
【背景技術】
【０００２】
従来トイレ室などの衛生設備室には主照明装置が備えられ、その主照明装置によって室全体を照明するようにしていた。
【０００３】
しかしながら夜就寝中に起き出して手摺を使用するような場合、主照明装置により室全体を照明してしまうことは不経済であるばかりでなく、暗がりに慣れた目に眩しさを感じさせてしまい、また目を覚まさせてしまうといった不都合がある。
【０００４】
また従来用いられている主照明装置は白熱灯や蛍光灯を用いたものであって消費電力が大きく、しかも電球切れを生じ易いためにほぼ一定期間毎に電球交換を行わなければならないといった面倒があった。
【０００５】
また従来の白熱灯や蛍光灯を用いた照明装置の場合、照明装置自体が大型であるため、その設置箇所については自ずと制限があった。
尚、本発明に対する先行技術として下記特許文献１，特許文献２に開示されたものがある。
【０００６】
【特許文献１】特開平１０−２４８６６３号公報
【特許文献２】特開昭６３−２６５０５９号公報
【発明の開示】
【発明が解決しようとする課題】
【０００７】
本発明は以上のような事情を背景とし、トイレ室内に設置される手摺に部分的に照明を行う照明装置を備え付けることで、トイレ室を主照明装置により全体的に照明しなくても暗がりの中で目的とする作業が行えるようにすることを目的としてなされたものである。
【課題を解決するための手段】
【０００８】
本発明はこのような課題を解決するために案出されたものである。
而して請求項１は、衛生設備室としてのトイレ室の壁面に接して設置される水平な棚板から立ち上がる縦の手摺の全体若しくは一部を光透過性材料で構成するとともに、該手摺の一端側から該光透過性材料の内部に光を投光する状態にＬＥＤを光源として前記棚板に埋込状態に設け、該ＬＥＤからの光によって該手摺の該光透過性材料からなる部分を光らせるようになしたことを特徴とする。
【０００９】
請求項２のものは、請求項１において、前記手摺を棒状の光不透過性の木材と棒状の光透過性の樹脂材とを、該光透過性の樹脂材を前記壁面に向け、合せた形態で構成したことを特徴とする。
【００１０】
請求項３のものは、請求項１，２の何れかにおいて、前記棚板の下面にはトイレットペーパーホルダが取り付けてあることを特徴とする。
【発明の作用・効果】
【００１１】
以上のように請求項１のものは、壁面に接して設置される水平な棚板から立ち上がる縦の手摺の全体若しくは一部を光透過性材料で構成して、棚板に埋込状態に設けたＬＥＤからの光を手摺の一端側から光透過性材料に投光して光らせるようになしたもので、このようにしておけば暗がりの中で容易に手摺の位置を知ることができ、暗がりの中にあっても支障なく手摺を使用できるようになる。
【００１２】
従って手摺を使用するに際して、敢えて衛生設備室の主照明装置を点灯させて室全体を照明する必要がなく経済的であるとともに、例えば夜間就寝中に起き出して手摺を使用する必要が生じた場合においても、主照明装置によって眩しさを感じたり或いは眠気を覚ましてしまう不都合がなくなる。
【００１３】
更にこの請求項１においてはその手摺を光らせることによって、衛生設備室内を光によって演出することができ、室内の雰囲気，美観を高めることができる。
またこの請求項１のものにおいては光源としてＬＥＤを用いていることから、消費電力が少なくて済み、またＬＥＤはその寿命が著しく長いために定期的に電球交換を行わなければならないといった問題も生じない。
更にＬＥＤは小型であるためこれを光透過性材料の内部に光を投光する状態に棚板に容易に埋込状態に組み込むことができる。
【００１４】
この場合において手摺全体を光透過性の樹脂材にて構成することが考えられる。しかしながらこのようにすると手摺が滑り易くなってしまう恐れが生ずる。
ここにおいて請求項２のものは、その手摺を棒状の光不透過性の木材と棒状の光透過性の樹脂材とを、光透過性の樹脂材を壁面に向け、合わせた形態で構成したもので、このようにしておけば手摺を手で握ったときに滑りを生じるのを良好に防止することができる。
ここで棚板の下面にはトイレットペーパーホルダを取り付けておくことができる（請求項３）。
【発明を実施するための最良の形態】
【００１５】
次に本発明の実施例を参考例とともに図面に基づいて詳しく説明する。
図１（図１は参考例を示す）において、１０はトイレ室内に設置された収納キャビネットであって、１２は前面の扉であり、１４は天板、１６は背板、１８はキャビネット内に上下複数段に設けられた棚板である。
【００１６】
棚板１８には、（Ｂ）に示しているように内部に空洞部２０が設けてあり、そこに照明装置における光源としてのＬＥＤ２２が設置されている。この例においてＬＥＤ２２は後方向きで配向されている。
【００１７】
棚板１８は、前部が光不透過性の木材２４で、また後部が光透過性であるアクリル樹脂２６にて構成されており、ＬＥＤ２２からの光がそのアクリル樹脂２６で構成された部分から外部、即ち収納キャビネット１０内部に照射されるようになっている。
【００１８】
ここで棚板１８の後端面には金属製の反射板２８が設けてあり、ＬＥＤ２２からの光はその反射板２８で反射された上、キャビネット内に照射される。
【００１９】
このようにしておけば、従来暗がりであった収納キャビネット１０内部を明るく照らし出すことができ、従って収納キャビネット１０の棚板１８上に載せたトイレットペーパー３０等の物品を出し入れする際や、収納キャビネット１０内で物品を探したりその他所定の作業をする際にそれらの作業が行い易くなる。
【００２０】
また収納キャビネット１０への物品の出し入れや収納キャビネット１０内での作業を目的とする場合、敢えて衛生設備室の主照明装置を点灯させて室全体を照明する必要がなく経済的であるとともに、例えば夜間就寝中に起き出して収納キャビネット１０内の物品を取り出す必要が生じた場合においても、主照明装置によって眩しさを感じたり或いは眠気を覚ましてしまう不都合がない。
【００２１】
また本例では照明装置の光源としてＬＥＤ２２を用いていることから消費電力が少なくて済み、またＬＥＤ２２はその寿命が著しく長いために定期的に電球交換を行わなければならないといった問題も生じない。
更にＬＥＤ２２は小型であるためこれを棚板１８内部に容易に組み込むことができるとともに、ＬＥＤ２２を棚板１８によって内部に保護した状態とすることができる。
【００２２】
また本例ではＬＥＤ２２を棚板１８の奥部に埋設しているため、特に暗がりとなり易い収納キャビネット１０の内奥部をより効果的に明るく照らし出すことができる。
【００２３】
図２は他の参考例を示したもので、この例では扉１２の取手３２を棒状部材で構成し且つこれを湾曲状にして扉１２の前面から突出する状態で設けている。
ここで取手３２は、その全体が光透過性であるアクリル樹脂からなっている。
【００２４】
扉１２の内部には空洞部３３が設けられていて、そこに照明装置における光源としてのＬＥＤ２２が、取手３２内部に投光する状態で配設されている。この空洞部３３にはまた、ＬＥＤ２２を電源と接続するための電気コード３６が収容されている。
【００２５】
３４は扉１２の前面且つ取手３２の後側に位置する部分に設けられた金属プレートであって、その前面が半艶又は艶状態に処理されている。
この例ではＬＥＤ２２からの光によって取手３２を光らせることができ、そして取手３２からの光はまた扉１２の前面にも照射されて半艶又は艶状態の金属プレート３４によって前方へと反射される。
【００２６】
このようにしておけば、暗がりの中においても収納キャビネット１０の扉１２の取手３２が分かり易く、従って敢えて主照明装置により衛生設備室全体を照明しなくても、暗がりの中で容易に取手３２を見つけることができ、扉１２の開閉作業を支障なく行うことができる。
【００２７】
またこのように扉１２を部分的に光らせることによって、衛生設備室の光による演出効果を高め得、衛生設備室内の雰囲気，美観を良好となすことができる。
本例においても光源としてＬＥＤ２２を用いていることから、ＬＥＤ２２によりもたらされる上記効果を享受することができる。
【００２８】
また取手３２からの光を半艶又は艶状態とした金属プレート３４にて反射するようにしているため、取手３２だけでなくその周辺が明るくなり、取手３２の視認性をより高めることができるとともに、金属プレート３４により反射光がぼんやりとして見え、光による演出効果を高めることができる。
【００２９】
図３は更に他の参考例を示したもので、この例では扉１２の取手３８を、長円形状の環状を成す周壁部４０と底部４２とを有する形態で構成し、これを扉１２の前面に形成した凹所内に埋込状態で設けている。
取手３８は内側に凹部４４を有しており、その一部が指掛け部４６（（Ｂ）（ウ）参照）とされている。
【００３０】
周壁部４０は、表面の第一層４８と奥部の第二層５０との積層構造をなしており、その第一層４８が金属ないし樹脂メッキからなる光不透過性材料で構成されている。また第二層５０は図中右半分が第一層４８と同様の光不透過性材料で、また左半分つまり指掛け部４６を有する側の左半分が光透過性材料４７で構成されている。
尚この光透過性材料４７は色付のものとされている。また底部４２は半透明とされている。
【００３１】
而して扉１２の空洞部３３内部には照明装置における光源としてのＬＥＤ２２と電気コード３６とが埋設され、そのＬＥＤ２２から、光透過性材料４７から成る部分の内部に光が投光されるようになっている。
【００３２】
この例では、ＬＥＤ２２によって取手１２における周壁部４０の左側半分、即ち光透過性材料４７で構成された部分を光らせるようにしており、而して同部分からの光は取手１２の表面（前面）からは直接前方に照射されず、指を挿入すべき凹部４４のみがその光によって照らされる。
【００３３】
従って本例によれば、取手３８から発せられた光が直接目に入るのを防止し、周辺に漏れた光によって取手３８の位置を知ることができる。
また光透過性材料４７は色付のものを用いており、これによってより鮮やかな色で発色させることができる。
【００３４】
図４は本発明の実施例を示している。この例において５６はトイレ室の壁面に設置された棚手摺で、水平な棚板５８と縦の棒状の手摺６０とを有している。
棚板５８の下面にはトイレットペーパーホルダ６１が取り付けられており、これによりトイレットペーパー６２が保持されている。
【００３５】
縦の棒状の手摺６０は、光不透過性材料である断面半円形状の棒状の木材６３と、光透過性材料である断面半円形状の樹脂材６４（アクリル樹脂）とを合わせた形態を成している。そしてその樹脂材６４の内部に光を投光する状態で、照明装置における光源としてのＬＥＤ２２が設けられている。
【００３６】
一方棚板５８の前端部下面には照明棒６６が設けられている。
照明棒６６は、その全体が光透過性材料で構成されており、そしてその内部に光を投光する状態で、光源としてのＬＥＤ２２が設けられている（図４（Ｂ）参照）。
本例では、ＬＥＤ２２によって棒状の手摺６０の半分、具体的には光透過性材料である樹脂材６４からなる部分全体が光り、また棚板５８の下面に設けた照明棒６６全体が光り、それらからの光によって手摺６０ないしその周辺部及び棚板５８下方を明るく照らし出す。
【００３７】
このような構成にしておけば、主照明装置によって室全体を照明しなくても、暗がりの中で容易に手摺６０の位置を知ることができ、暗がりの中にあっても支障なく手摺６０を使用できるとともに、トイレ室内を光によって演出することができ、室内の雰囲気，美観を高めることができる。
またこの手摺６０においても光源としてＬＥＤ２２を用いていることから、ＬＥＤ２２によりもたらされる上記効果を享受することができる。
【００３８】
この場合において手摺６０全体を光透過性の樹脂材６４にて構成すると手摺が滑り易くなってしまう恐れが生ずるが、本例では手摺６０を棒状の光不透過性の木材６３と棒状の光透過性の樹脂材６４とを合わせた構成としているため、手摺６０を手で握ったときに滑りを生じるのを良好に防止することができる。
【００３９】
更に棚板５８の下面にトイレットペーパーホルダ６１と併せて照明棒６６を設置し、その照明棒６６をＬＥＤ２２によって光らせるようにしているため、室全体を主照明装置により照明しなくても暗がりの中で照明棒６６による局部照明によってトイレットペーパー６２の位置を容易に知ることができ、これを使用することができる。
【００４０】
更にまたこの例においても棚板５８の下方周辺を局所照明するものであるため、暗がりの中においてトイレ室を光により演出することができ、その雰囲気，美観を高めることができるとともに、光源としてＬＥＤを用いていることからＬＥＤによりもたらされる上記効果を享受することができる。
【００４１】
図５は他の参考例を示している。
同図において６８はトイレ室に設置された便器で、７０はトイレ室の床、７２は側壁である。７４はその側壁７２の内壁面材であって（（Ｂ）参照）、その下端が床７０との間に隙間Ｓを形成する状態で配設されている。
【００４２】
この内壁面材７４の裏側には、側壁７２下端部において且つ図６（Ａ）に示しているようにトイレ室の周縁に沿って複数のＬＥＤ２２が所定ピッチで下向きに配設されており、それらＬＥＤ２２からの光が隙間Ｓを通して床７０に照射されるようになっている。
【００４３】
尚図６（Ｂ）に示しているように、側壁７２の下端部且つ内壁面材７４の裏側位置に棒状の光透過性材料からなる照明棒７６を横設しておいて、その内部にＬＥＤ２２からの光を投光し、これにより照明棒７６を光らせることによって、上記隙間Ｓを通じ床７０を照明するようになすこともできる。
【００４４】
このように本例の照明装置によれば、トイレ室を使用する際に足元部分を明るく照らし出すことができる。またトイレ室の周縁に沿って側壁７２の足元部分を照明状態とすることができ、トイレ室を光によって演出でき、その雰囲気，美観を高めることができる。
更に光源としてＬＥＤ２２を用いていることから、ＬＥＤ２２による上記効果を享受することができる。
【００４５】
以上本発明の実施例を参考例とともに詳述したがこれはあくまで一例示であり、本発明はその主旨を逸脱しない範囲において種々変更を加えた形態で構成可能である。
【図面の簡単な説明】
【００４６】
【図１】参考例を示す図である。
【図２】他の参考例を示す図である。
【図３】更に他の参考例を示す図である。
【図４】本発明の実施例を示す図である。
【図５】更に他の参考例を示す図である。
【図６】図５の参考例の要部を示す図である。
【符号の説明】
【００４７】
１０  収納キャビネット
１２  扉
１８，５８  棚板
２２  ＬＥＤ
２４，６３  木材
２６  アクリル樹脂
２８  反射板
３２，３８  取手
３４  金属プレート
４０  周壁部
４２  底部
４４  凹部
４７  光透過性材料
４８  第一層
５０  第二層
６０  手摺
６１  トイレットペーパーホルダ
６４  樹脂材
６６，７６  照明棒
７０  床
７２  側壁
７４  内壁面材
【図１】
2009046976.tif 000003
【図２】
2009046976.tif 000004
【図３】
2009046976.tif 000005
【図４】
2009046976.tif 000006
【図５】
2009046976.tif 000007
【図６】
2009046976.tif 000008